(57)【要約】【課題】加湿と除湿を同一の機器にて行うことができ、かつコンパクトな構成をした可搬型空気質改善装置を提供することを目的とする。【解決手段】空気中の水分を吸着する吸湿部材（図示せず）と、前記吸湿部材に空気を通過、搬送させるための除湿側送風機１０と、前記吸湿部材から水分を脱離させるための加熱手段５と、前記脱離した水分を含む加湿空気を搬送するための加湿側送風機１１と、前記吸湿部材に水分が吸着された後の除湿空気と水分を脱離させた後の加湿空気とが通過する流体素子１２とを備えた可搬型空気質改善装置で、加湿と除湿を同一の機器にて行うことができ、かつコンパクトな構成をした可搬型空気質改善装置を提供できる。【選択図】図１
2005345008.tif 000002
【特許請求の範囲】
【請求項１】
空気中の水分を吸着する吸湿部材と、前記吸湿部材に空気を通過、搬送させるための除湿側送風機と、前記吸湿部材から水分を脱離させるための加熱手段と、前記脱離した水分を含む加湿空気を搬送するための加湿側送風機と、前記吸湿部材に水分が吸着された後の除湿空気と水分を脱離させた後の加湿空気とが通過する流体素子とを備えた可搬型空気質改善装置。
【請求項２】
流体素子に、活性炭、ゼオライト、二酸化チタン、カテキン等を担持し、脱臭、除菌、ＶＯＣ吸着等の機能を持たせたことを特徴とする請求項１記載の可搬型空気質改善装置。
【発明の詳細な説明】
【技術分野】
【０００１】
本発明は、局部空間の加湿機能や除湿機能および空気中のＶＯＣ吸着、脱臭、除菌等の空気浄化機能を備えた可搬型空気質改善装置に関するものである。
【背景技術】
【０００２】
従来、可搬型で湿度調整機能を具備した機器は、加湿の場合は水タンクに貯めてある水を加熱気化して、居室内空間に放出し居室内を加湿する形式がある（例えば、特許文献１参照）。
【０００３】
除湿の場合は、空気中の水蒸気を吸着側空間において、吸湿材を担持したハニカム構造かつ円板形状の回転素子（以後ロータと記述）に送風機により居室内の空気を取り込みその中に含まれている水分を吸着した後、ロータを回転にさせてロータの一部を覆うがごとく配設され、前記吸着側の空間とは分離されかつ別の送風機とヒータを具備する脱離側空間に位置している期間において、脱離側に設置された送風機からの空気をヒータにより過熱した後、前記ロータを通過させて吸湿材の水分を水蒸気として脱離させ前記水蒸気を含む高温、高湿の空気を流体素子で結露させて水化してタンクにその水を貯め、居室内の水分を奪って湿度を低下させる形式のものを採用していた（例えば、特許文献２参照）。
【特許文献１】特開平５−１８５６８号公報
【特許文献２】特開２００１−１７９０３５号公報
【発明の開示】
【発明が解決しようとする課題】
【０００４】
しかしながら、前記従来の構成は、いずれも水分の供給や水分を捨てるための水タンクを有し、かつ加湿と除湿を同一の機器にて行うことができず、さらに居室内全体の加湿または除湿を行うことを目的としているため、加湿専用または除湿専用の構成となっており、加湿と除湿を同一の機器にて行うことができず、かつコンパクトな構成を実現できなかった。
【０００５】
上記課題を解決するために本発明は、加湿と除湿を同一の機器にて行うことができ、かつコンパクトな構成をした可搬型空気質改善装置を提供することを目的とする。
【課題を解決するための手段】
【０００６】
上記従来の課題を解決するために本発明は、空気中の水分を吸着する吸湿部材と、前記吸湿部材に空気を通過、搬送させるための除湿側送風機と、前記吸湿部材から水分を脱離させるための加熱手段と、前記脱離した水分を含む加湿空気を搬送するための加湿側送風機と、前記吸湿部材に水分が吸着された後の除湿空気と水分を脱離させた後の加湿空気とが通過する流体素子とを備えた可搬型空気質改善装置で、加湿と除湿を同一の機器にて行うことができ、かつコンパクトな構成をした可搬型空気質改善装置を提供できる。
【発明の効果】
【０００７】
本発明によれば、加湿と除湿を同一の機器にて行うことができ、かつコンパクトな構成をした可搬型空気質改善装置を提供できる。
【発明を実施するための最良の形態】
【０００８】
第１の発明は、空気中の水分を吸着する吸湿部材と、前記吸湿部材に空気を通過、搬送させるための除湿側送風機と、前記吸湿部材から水分を脱離させるための加熱手段と、前記脱離した水分を含む加湿空気を搬送するための加湿側送風機と、前記吸湿部材に水分が
吸着された後の除湿空気と水分を脱離させた後の加湿空気とが通過する流体素子とを備えた可搬型空気質改善装置で、加湿と除湿を同一の機器にて行うことができ、かつコンパクトな構成をした可搬型空気質改善装置を提供できる。
【０００９】
第２の発明は、流体素子に、活性炭、ゼオライト、二酸化チタン、カテキン等を担持し、脱臭、除菌、ＶＯＣ吸着等の機能を持たせたことを特徴とするもので、取り込む空気中の臭いやかび、菌等がトラップされて、吹き出される空気は浄化されて、きれいな空気を放出することができる。
【００１０】
以下、本発明の実施の形態について、図面を参照しながら説明する。なお、この実施の形態によって本発明が限定されるものではない。
【００１１】
（実施の形態１）
図１は、本発明の実施形態における可搬型空気質改善装置の原理構成図を示すものである。図２は本発明の可搬型空気質改善装置の斜視図である。図３は本発明の可搬型空気質改善装置に用いられる流体素子の一部分解斜視図である。図１、図２、図３において、吸湿材が担持されたロータ１は、ギヤードモータ２により、ロータ１の軸心３の周りを極低速で回転する。ロータ１の周りの空間は仕切り板４により、ヒータ５と加湿側吸入口６とを有する加湿側空間７と、除湿側吸入口８を有する除湿側空間９とに仕切られ、互いの空間の間で空気の出入りがないようになっている。
【００１２】
また、本発明の空気質改善装置の上部には、除湿側送風機１０と加湿側送風機１１が各々設けられており、中央部には水平方向と上下方向に独立して空気を流すことができるように、１２Ａ、１２Ｂ、１２Ｃ、１２Ｄの各シートのコルゲートの方向を互い違いに組み合わせて組み立てられた流体素子１２が配設されている。
【００１３】
また、流体素子１２の水平方向の片側には、除湿側空間９、ロータ１と連通している除湿側導入路Ａ１３が設けられており、もう片側には除湿側送風機１０と除湿側吹き出し口１４に連通している除湿側導入路Ｂ１５が設置されている。前記流体素子１２の上下方向の下部にはロータ１、ヒータ５、加湿側空間７と連通する加湿側導入路Ａ１６、上部には加湿側送風機１１、加湿側吹き出し口１７に連通している加湿側導入路Ｂ１８が設けられている。
【００１４】
また、最上部には取っ手が設けられた天板１９が配設され、最下部には本体を保持し、本体を回転できるようにした台座２０と回転台２１が配設されている。
【００１５】
いわゆる、回転しているロータ１において、除湿側空間９に位置している部位に除湿側送風機１０により空気を取り込み、空気中に含まれている水分を吸着した後の除湿され乾いた空気と、ロータ１の一部を覆うがごとく配設され、前記除湿側空間９とは分離され、かつヒータ５を具備する加湿側空間７に位置しているロータ１の部位において、加湿側に設置された加湿側送風機１１により、空気をヒータ５で過熱した空気を通過させて、吸湿材の水分を水蒸気として脱離させた高温、高湿空気とを互いに独立してかつ交錯して流すことができる流体素子１２を介して、加湿側送風機１１を有する加湿側吹き出し口１７と除湿側送風機１０を有する除湿側吹き出し口１４に各々導き、互いに反対方向に吹き出させる構成としたものである。
【００１６】
以上のように構成された可搬型空気質改善装置について、以下その動作、作用を説明する。
【００１７】
除湿側送風機１０と加湿側送風機１１とを同時に作動させると、除湿側は除湿側吸入口
８から除湿側空間９に居室内の空気が取り込まれ、その空気はロータ１を通って除湿側導入路Ａ１３、流体素子１２、除湿側導入路Ｂ１５の順路で除湿側送風機１０を通って除湿側吹き出し口１４から居室内空間へ流出する。このときロータ１を通過する空気は空気中の水分がロータ１に吸着されるために、居室内には除湿された空気が流出する。
【００１８】
一方、加湿側は加湿側吸入口６から加湿側空間７に居室内の空気が取り込まれ、その空気はヒータ５で加熱されてロータ１を通り、加湿側導入路Ａ１６、流体素子１２、加湿側導入路Ｂ１８の順路で加湿側送風機１１を通って、加湿側吹き出し口１７から居室内空間へ流出する。このときヒータ５を通って加熱された空気によりロータ１が加熱されるために、ロータ１中に吸着されている水分は脱離し、ロータ１から流出する空気は、高湿の状況になるために居室内には加湿された空気が流出する。
【００１９】
このとき、除湿された空気と加湿された空気は互いに反対方向へ流出するため、冬場の乾燥する時期には加湿側吹き出し口１７を加湿したい場所に向けるとその局所的空間は加湿されて、湿度が上昇し快適性が向上する。また、梅雨時の湿気の多い時期は除湿側吹き出し口１４を除湿したい方向に向けるとその局所的空間は除湿されて、湿度が低下するため快適性が向上する。
【００２０】
また、前記除湿側空間９、除湿側導入路Ａ１３、除湿側導入路Ｂ１５、加湿側空間７、加湿側導入路Ａ１６、加湿側導入路Ｂ１８を前記流体素子１２の周りに近接配置することにより、全体構成をコンパクトにしている。台座２０には回転台２１が設けられ、可搬型空気質改善装置全体が回転台２１の軸芯２２の周りを回転自在に動かせ、必要に応じて加湿空気と除湿空気とを狙った方向へ向けることができる構造となっている。
【００２１】
また、前記流体素子１２に活性炭やゼオライト、二酸化チタン、カテキン等の成分を担持させた構成にした場合は、居室内のＶＯＣや各種臭い成分を含む空気が除湿や加湿された後において流体素子１２を通過する間に、流体素子１２の広い面積を有する壁面に空気が接触し、前記臭いの成分やＶＯＣの成分が活性炭、ゼオライト、二酸化チタン、カテキン等に吸着される。
【００２２】
したがって、流体素子１２は脱臭、ＶＯＣ吸着、除菌の作用を行い、流体素子１２を通過した空気はクリーンな空気となって居室内に流出する。
【００２３】
以上のように、本発明の可搬型空気質改善装置は、吸湿材が担持されたロータ１の周りの空間を仕切り板４によりヒータ５と加湿側吸入口６とを有する加湿側空間７と、除湿側吸入口８を有する除湿側空間９とに仕切り、中央部に配設された流体素子１２により除湿された空気と加湿された空気とを水平方向と上下方向に独立して空気を流すことができ、かつ活性炭やゼオライト、二酸化チタン、カテキン等の製剤を担持して脱臭、除菌、ＶＯＣをトラップすることができる構成とした流体素子１２を介して、除湿側と加湿側の導入路をそれぞれ設け、上部に配設されている除湿側送風機１０と加湿側送風機１１とにより、除湿側吹き出し口１４からは乾燥した除湿風を吹き出させ、加湿側吹き出し口１７からは湿り気がある加湿風を吹き出させることにより、除湿されたクリーンな空気と加湿されたクリーンな空気とをコンパクトな構成で同時に吹き出される構成を可能としたものであり、必要に応じて自在に局所的な空間の空気質を改善できる構成としたものである。
【００２４】
本発明の可搬型空気質改善装置は、加湿と除湿とを１つの構成で同時に行うことができるため、加湿が必要な場合は装置を加湿空気が吹き出される方向に向け、除湿が必要な場合は除湿空気が吹き出される方向に装置を向けるなど、自在に局部的な空間に限って湿度をコントロールすることができる。また、前記流体素子に活性炭、ゼオライト、二酸化チタン、カテキン等の成分を担持すれば、装置に取り込まれる空気中の臭いやＶＯＣ、かび
、菌等の空気質を悪化させる成分をトラップすることができるため、本装置から吹き出される空気は浄化されたきれいな空気となり、快適できれいな雰囲気の局所的な空間を創りだすことができる。
【図面の簡単な説明】
【００２５】
【図１】本発明の一実施の形態における可搬型空気質改善装置の原理構成図
【図２】同可搬型空気質改善装置の斜視図
【図３】同流体素子の一部分解斜視図
【符号の説明】
【００２６】
１  ロータ
２  ギヤードモータ
３  ロータ軸芯
４  仕切り板
５  ヒータ（加熱手段）
６  加湿側吸入口
７  加湿側空間
８  除湿側吸入口
９  除湿側空間
１０  除湿側送風機
１１  加湿側送風機
１２  流体素子
１３  除湿側導入路Ａ
１４  除湿側吹き出し口
１５  除湿側導入路Ｂ
１６  加湿側導入路Ａ
１７  加湿側吹き出し口
１８  加湿側導入路Ｂ
１９  天板
２０  台座
２１  回転台
２２  回転台軸芯
【図１】
2005345008.tif 000003
【図２】
2005345008.tif 000004
【図３】
2005345008.tif 000005